(57)【要約】【課題】無駄な再送信処理を繰り返さない基地局を実現する。【解決手段】基地局は、移動体端末の移動速度に関する情報を受信すると、情報によって識別される移動速度が所定の速度よりも高速であるかを識別する。また、基地局は、所定の速度よりも高速であると識別すると、パケットの再送信処理を実行する実行回数を、予め設定された回数よりも少ない回数に変更する。例えば、基地局は、移動体端末からパケットの受信に失敗した旨の失敗情報を受信すると、再送信処理を実行し、同一のパケットについての失敗情報を予め設定された実行回数より多く受信したかを判定する。そして、所定の速度よりも高速であると識別し、予め設定された実行回数より多く受信したと判定すると、実行回数を少ない回数に変更する。【選択図】図１
2010273128.tif 000002
【特許請求の範囲】
【請求項１】
移動体端末の移動速度に関する情報を受信すると、該情報によって識別される移動速度が所定の速度よりも高速であるかを識別する速度識別部と、
前記速度識別部によって所定の速度よりも高速であると識別されると、パケットの再送信処理を実行する実行回数を、予め設定された回数よりも少ない回数に変更する回数変更部と、
を備えたことを特徴とする基地局。
【請求項２】
前記移動体端末からパケットの受信に失敗した旨の失敗情報を受信すると、再送信処理を実行する基地局であって、
同一のパケットについての前記失敗情報を予め設定された回数より多く受信したかを判定する判定部をさらに備え、
前記回数変更部は、前記速度識別部によって所定の速度よりも高速であると識別され、前記判定部によって受信したと判定されると、実行回数を少ない回数に変更することを特徴とする請求項１に記載の基地局。
【請求項３】
異なる移動体端末に対して同一の実行回数を適用し、前記回数変更部によって実行回数が少ない回数に変更された場合には、変更された実行回数を異なる移動体端末に対して適用することを特徴とする請求項１または２に記載の基地局。
【請求項４】
前記回数変更部は、実行回数を少ない回数に変更した後に所定の時間が経過すると、実行回数を予め設定された実行回数に戻す変更を行うことを特徴とする請求項１〜３のいずれか一つに記載の基地局。
【請求項５】
基地局と移動体端末とを有する無線通信システムであって、
前記移動体端末は、移動体端末の移動速度に関する情報を前記基地局に送信する送信部を備え、
前記基地局は、
前記送信部によって送信された情報を受信すると、該情報によって識別される移動速度が所定の速度よりも高速であるかを識別する速度識別部と、
前記速度識別部によって所定の速度よりも高速であると識別されると、パケットの再送信処理を実行する実行回数を、予め設定された回数よりも少ない回数に変更する回数変更部と、
を備えたことを特徴とする無線通信システム。
【請求項６】
移動体端末の移動速度に関する情報を受信すると、該情報によって識別される移動速度が所定の速度よりも高速であるかを識別する速度識別ステップと、
前記速度識別ステップによって所定の速度よりも高速であると識別されると、パケットの再送信処理を実行する実行回数を、予め設定された回数よりも少ない回数に変更する回数変更ステップと、
を含んだことを特徴とする基地局制御方法。
【発明の詳細な説明】
【技術分野】
【０００１】
本発明は、基地局、無線通信システム、基地局制御方法に関する。
【背景技術】
【０００２】
従来より、基地局が移動体端末にパケットの再送信処理を実行する再送信手法が知られており、例えば、ＨＡＲＱ（Hybrid  Automatic  Repeat  Request）が知られている。
【０００３】
例えば、ＨＡＲＱを実行する基地局は、移動体端末が受信したパケットにエラーが含まれていて移動体端末がエラーを訂正しきれない場合に、パケットを再度送信し、あるいは、パンクチャにより送信されなかった冗長ビットを送信する。なお、パンクチャとは、情報を間引いて送信することである。
【０００４】
そして、例えば、ＨＡＲＱを実行する移動体端末は、エラーが含まれるパケットを保持しておき、基地局から再送信処理により送信されたパケットや冗長ビットを受信すると、受信したパケットや冗長ビットと保持しておいたパケットとを合成し、エラーを訂正する。例えば、移動体端末は、保持しておいたパケットと受信した冗長ビットとを合成し、保持しておいたパケットのエラー訂正能力を向上させることでエラーを訂正する。
【０００５】
また、上記した再送信手法では、基地局は、再送信処理を実行する場合に、初回送信時の送信条件を用いて再送信処理を実行し、例えば、初回送信時に用いた送信電力と同一の送信電力を用いて再送信処理を実行する。なお、一般的に、送信電力を上げると、移動体端末が受信するパケットに含まれるエラー量が減少し、送信電力を下げると、移動体端末が受信するパケットに含まれるエラー量が増加する。
【０００６】
また、移動体端末が高速に移動している間には、フェージングが発生し、電波伝搬状態が急速に変化することが知られている。なお、ＱｏＳ（Quality  of  Service）に応じて無線パラメータを変更する手法も知られている。
【先行技術文献】
【特許文献】
【０００７】
【特許文献１】特開２００５−８６３０４号公報
【特許文献２】特開２００８−２９５０７０号公報
【発明の概要】
【発明が解決しようとする課題】
【０００８】
しかしながら、上記した従来の再送信手法では、無駄な再送信処理を繰り返していたという課題があった。具体的には、従来の再送信手法では、高速移動中に電波伝搬状態が急速に悪化すると、再送信処理を繰り返しても移動体端末がエラーを訂正しきれず、エラー訂正に結びつかない無駄な再送信処理を繰り返していた。
【０００９】
例えば、上記した再送信手法では、電波伝搬状態が悪化した状態においても、初回送信時の送信電力を用いて再送信処理を繰り返す。この結果、再送信処理によって送信されたパケットを移動体端末が受信しても、初回送信時に移動体端末が受信したパケットと同様に、受信したパケットには多くのエラーが含まれ、移動体端末はエラーを訂正しきれなかった。
【００１０】
また、例えば、電波伝搬状態が急速に悪化し、パンクチャにより送信されなかった冗長ビットを併せて用いても訂正しきれない程のエラーが発生する場合がある。このような場合、基地局が冗長ビットを送信する再送信処理を送信し、移動体端末が受信した冗長ビットを併せて用いて訂正したとしても、移動体端末はエラーを訂正しきれなかった。
【００１１】
開示の技術は、上記に鑑みてなされたものであって、無駄な再送信処理を繰り返さない基地局、無線通信システム、基地局制御方法を提供することを目的とする。
【課題を解決するための手段】
【００１２】
本願の開示する基地局は、一つの態様において、移動体端末の移動速度に関する情報を受信すると、該情報によって識別される移動速度が所定の速度よりも高速であるかを識別する速度識別部を備える。また、基地局は、前記速度識別部によって所定の速度よりも高速であると識別されると、パケットの再送信処理を実行する実行回数を、予め設定された回数よりも少ない回数に変更する回数変更部を備える。
【発明の効果】
【００１３】
本願の開示する基地局の一つの態様によれば、無駄な再送信処理を繰り返さないことが可能であるという効果を奏する。
【図面の簡単な説明】
【００１４】
【図１】図１は、実施例１に係る基地局の構成の一例を説明するためのブロック図である。
【図２】図２は、実施例１に係る基地局による処理の流れの一例について説明するためのフローチャートである。
【図３】図３は、実施例２における移動体端末がパケット受信に成功した場合における無線通信システムによる処理の流れについて説明するためのシーケンス図である。
【図４】図４は、実施例２における移動体端末がパケット受信に失敗した場合における無線通信システムによる処理の流れについて説明するためのシーケンス図である。
【図５】図５は、実施例２における無線通信システムの構成の一例を説明するためのブロック図である。
【図６】図６は、実施例２における速度情報テーブルを説明するための図である。
【図７−１】図７−１は、実施例２における移動体端末から基地局にＣＣＨチャネルを用いて送信されるパケットのフォーマットの一例を説明するための図である。
【図７−２】図７−２は、実施例２における移動体端末から基地局にＣＣＨチャネルを用いて送信されるパケットの一例を説明するための図である。
【図８】図８は、実施例２における送信バッファを説明するための図である。
【図９−１】図９−１は、実施例２における回数管理テーブルを説明するための図である。
【図９−２】図９−２は、実施例２における最大回数が変更された後の回数管理テーブルを説明するための図である。
【図１０】図１０は、実施例２における基地局送受信部について説明するための図である。
【図１１】図１１は、実施例２における移動体端末による処理の流れについて説明するためのフローチャートである。
【図１２】図１２は、実施例２における基地局送受信部による処理の流れについて説明するためのフローチャートである。
【図１３】図１３は、実施例２における回数変更部による最大回数を戻す処理の流れについて説明するためのフローチャートである。
【図１４】図１４は、実施例２における無線通信システムによる効果を説明するための図である。
【図１５】図１５は、実施例２における無線通信システムによる効果を説明するための図である。
【図１６】図１６は、実施例２における無線通信システムによる効果を説明するための図である。
【図１７】図１７は、回数変更部による処理の流れについて説明するためのフローチャートである。
【発明を実施するための形態】
【００１５】
以下に、本願の開示する基地局、無線通信システム、基地局制御方法の実施例を図面に基づいて詳細に説明する。なお、この実施例によりこの発明が限定されるものではない。
【実施例１】
【００１６】
［実施例１に係る基地局の構成］
図１を用いて、実施例１に係る基地局１００の構成について説明する。図１は、実施例１に係る基地局の構成の一例を説明するためのブロック図である。
【００１７】
基地局１００は、移動体端末とパケットを送受信し、図１に示すように、速度識別部１０１と回数変更部１０２とを有する。速度識別部１０１は、移動体端末の移動速度に関する速度情報を受信すると、速度情報によって識別される移動速度が所定の速度よりも高速であるかを識別する。
【００１８】
回数変更部１０２は、速度識別部１０１によって所定の速度よりも高速であると識別されると、パケットの再送信処理を実行する最大回数（実行回数とも称する）を、予め設定された最大回数よりも少ない回数に変更する。
【００１９】
［実施例１に係る基地局による処理］
次に、図２を用いて、実施例１に係る基地局１００による処理の流れの一例について説明する。図２は、実施例１に係る基地局による処理の流れの一例について説明するためのフローチャートである。
【００２０】
図２に示すように、基地局１００では、速度識別部１０１は、速度情報を受信すると（ステップＳ１０１肯定）、速度情報によって識別される移動速度が所定の速度よりも高速であるかを識別する（ステップＳ１０２）。
【００２１】
そして、速度識別部１０１によって高速であると識別されると（ステップＳ１０２肯定）、回数変更部１０２は、パケットの再送信処理を実行する最大回数を、予め設定された最大回数よりも少ない回数に変更する（ステップＳ１０３）。一方、速度識別部１０１によって高速であると識別されないと（ステップＳ１０２否定）、最大回数が変更されないまま処理が終了する。
【００２２】
［実施例１に係る基地局による効果］
上記したように、実施例１によれば、基地局１００は、速度情報を受信すると、速度情報によって識別される移動速度が所定の速度よりも高速であるかを識別する。そして、基地局１００は、所定の速度よりも高速であると識別されると、パケットの再送信処理を実行する最大回数を、予め設定された最大回数よりも少ない回数に変更する。この結果、無駄な再送信処理を繰り返さないことが可能である。
【００２３】
具体的には、高速移動中には電波伝搬状態が急速に変化し、電波伝搬状態が急速に悪化すると、再送信処理を繰り返してもエラーを訂正しきれないことがある。例えば、移動体端末が受信したエラーに訂正しきれない程のエラーが発生した場合が該当する。このような場合、基地局が再送信処理を繰り返してもエラーを訂正しきれず、再送信処理が無駄になっていた。実施例１によれば、最大回数が常に一定である手法とは異なり、基地局１００は、高速移動中には再送信処理を実行する最大回数を減らすので、無駄な再送信処理を繰り返さないようにすることが可能である。言い換えると、実施例１によれば、再送信処理を無駄に繰り返さないことが可能である。
【実施例２】
【００２４】
次に、実施例２における無線通信システムについて説明する。実施例２に係る無線通信システムは、基地局２００と移動体端末３００とを有し、基地局２００が、実施例１に係る基地局１００に対応する。なお、以下では、実施例１と同様の点については簡単に説明する。
【００２５】
実施例２に係る無線通信システムでは、基地局２００と移動体端末３００とがパケットを送受信し、移動体端末３００がパケット受信に失敗すると、基地局２００が再送信処理を実行する。また、基地局２００は、実施例１にて説明したように、移動体端末３００の移動速度が所定の速度よりも高速である場合には、再送信処理を実行する最大回数を、予め設定された最大回数よりも少ない回数に変更する。
【００２６】
以下では、実施例２における無線通信システムによるパケット送受信処理について簡単に説明した後、実施例２に係る無線通信システムの構成について説明する。そして、実施例２に係る無線通信システムによる詳細な処理の流れと、実施例２における効果とについて説明する。
【００２７】
［実施例２における無線通信システムによるパケット送受信処理］
実施例２における無線通信システムによる処理について簡単に説明する。以下では、実施例２における移動体端末３００がパケット受信に成功した場合における処理の流れと、実施例２における移動体端末３００がパケット受信に失敗した場合における処理の流れとについて順に説明する。
【００２８】
なお、パケット受信に成功した場合とは、移動体端末３００が受信したパケットにエラーが含まれていない場合や、移動体端末３００が受信したパケットに含まれていたエラーを移動体端末３００にて訂正可能な場合が該当する。例えば、パケットには、エラー訂正用の冗長ビットが付与されており、移動体端末３００が受信したパケットに含まれていたエラーが冗長ビットを用いて訂正可能な範囲内のエラーであれば、パケット受信に成功したことになる。
【００２９】
また、パケット受信に失敗した場合とは、移動体端末３００が受信したパケットにエラーが含まれており、エラーを訂正しきれない場合が該当する。例えば、冗長ビットを用いても訂正しきれない程のエラーが含まれている場合が該当する。
【００３０】
［実施例２における移動体端末がパケット受信に成功した場合における処理の流れ］
図３を用いて、実施例２における移動体端末３００がパケット受信に成功した場合における処理の流れについて説明する。具体的には、基地局２００によって再送信処理が実行されることなく、移動体端末３００がパケット受信に成功した場合の処理の流れについて説明する。図３は、実施例２における移動体端末がパケット受信に成功した場合における処理の流れについて説明するためのシーケンス図である。
【００３１】
図３に示すように、実施例２における無線通信システムでは、基地局２００は、パケットを移動体端末３００に送信し（ステップＳ２０１）、移動体端末３００がパケットを受信する（ステップＳ２０２）。ここで、移動体端末３００は、パケット受信に成功すると（ステップＳ２０３）、パケット受信に成功した旨の成功情報であるＡＣＫ信号を基地局２００に送信する（ステップＳ２０４）。
【００３２】
そして、基地局２００は、ＡＣＫ信号を移動体端末３００から受信し（ステップＳ２０５）、処理を終了する。なお、その後、基地局２００は、次のパケットを移動体端末３００に送信する。
【００３３】
［実施例２における移動体端末がパケット受信に失敗した場合における処理の流れ］
図４を用いて、実施例２における移動体端末３００がパケット受信に失敗した場合における処理の流れについて説明する。具体的には、基地局２００によって再送信処理が繰り返されたにも関わらず、移動体端末３００がパケット受信に失敗した場合の処理の流れについて説明する。図４は、実施例２における移動体端末がパケット受信に失敗した場合における処理の流れについて説明するためのシーケンス図である。
【００３４】
図４に示すように、実施例２における無線通信システムでは、基地局２００は、パケットを移動体端末３００に送信し（ステップＳ３０１）、移動体端末３００がパケットを受信する（ステップＳ３０２）。ここで、移動体端末３００は、パケット受信に失敗すると（ステップＳ３０３）、パケット受信に失敗した旨の失敗情報であるＮＡＣＫ信号を基地局２００に送信する（ステップＳ３０４）。
【００３５】
そして、基地局２００は、ＮＡＣＫ信号を受信すると（ステップＳ３０５）、再送信処理を実行し（ステップＳ３０６）、例えば、パケットを再度送信し、あるいは、パンクチャにより送信されなかった冗長ビットを送信する。
【００３６】
そして、移動体端末３００は、基地局２００から再送信処理により送信されたパケットや冗長ビットを受信する（ステップＳ３０７）。ここで、移動体端末３００は、パケット受信に失敗すると（ステップＳ３０８）、ＮＡＣＫ信号を基地局２００に送信する（ステップＳ３０９）。
【００３７】
なお、上記したステップＳ３０８においてパケット受信に失敗する場合とは、例えば、再送信処理によって送信されたパケットや冗長ビットを用いたとしても、エラーを訂正しきれない場合が該当する。例えば、ＨＡＲＱを実行する移動体端末３００である場合には、移動体端末３００が、保持しておいたパケットと受信したパケットや冗長ビットとを合成し、エラーの訂正を試みたが、エラーを訂正しきれなかった場合が該当する。
【００３８】
その後、基地局２００は、再送信処理（上記したステップＳ３０６）後に失敗情報を受信すると（ステップＳ３１０）、再送信処理を最大回数実行していなければ（ステップＳ３１１否定）、再送信処理を繰り返す（ステップＳ３０６）。一方、基地局２００は、再送信処理を最大回数実行していた場合には（ステップＳ３１１肯定）、再送信処理を繰り返さず、再送信処理の対象となっていたパケットの送信処理を初めからやり直す。
【００３９】
なお、上記したステップＳ３０８において、移動体端末３００が、再送信処理によって送信されたパケットや冗長ビットによりパケット受信に成功した場合について簡単に説明する。この場合、基地局２００は、ＡＣＫ信号を移動体端末３００から受信し、再送信処理を繰り返すことなく処理を終了する。
【００４０】
ここで、開示の無線通信システムは、高速移動中には電波伝搬状態が変化しやすく、電波伝搬状態が急速に悪化すると再送信処理を繰り返しても正しいデータを送れないことを踏まえたものである。具体的には、高速移動中に電波伝搬状態が急速に悪化すると、基地局２００が、上記したステップＳ３０６の再送信処理を繰り返しても移動体端末３００がパケット受信に成功することができないことを踏まえたものである。すなわち、基地局２００は、移動体端末３００が高速移動中と識別すると、再送回数を減らす。この結果、開示の無線通信システムは、上記したステップＳ３０６において説明した再送信処理が無駄に繰り返されることを防止可能である。
【００４１】
［実施例２に係る無線通信システムの構成］
図５を用いて、実施例２における無線通信システムの構成の一例について説明する。図５は、実施例２における無線通信システムの構成の一例を説明するためのブロック図である。以下では、移動体端末３００について説明した後に、基地局２００について説明する。
【００４２】
［実施例２における移動体端末の構成］
移動体端末３００は、無線通信ネットワーク４００を介して基地局２００と接続され、パケットを基地局２００と送受信する。また、移動体端末３００は、無線通信機能を有する携帯用ゲーム機やＰＤＡ（Personal  Digital  Assistant）、あるいは携帯電話やＰＨＳ（Personal  Handyphone  System）などが該当する。また、移動体端末３００は、図５に示す例では、速度情報テーブル３１１と、移動体制御部３２０とを有する。
【００４３】
速度情報テーブル３１１は、移動体制御部３２０内にある速度算出部３２１と接続され、図６に示すように、移動体端末３００の移動速度に対応付けて、基地局２００に対して送信する速度情報を記憶する。なお、図６は、実施例２における速度情報テーブルを説明するための図である。図６に示す例では、速度情報テーブル３１１は、移動速度「０〜４０ｋｍ／ｈ」に対応付けて、速度情報「００」を記憶し、移動速度「１４０ｋｍ／ｈ」に対応付けて、速度情報「１０」を記憶する。
【００４４】
なお、図６に示す例では、２ビット情報を用い、具体的には、「００」「０１」「１０」を速度情報として用い、「１１」をリザーブとする場合について説明した。図６に示す例はあくまでも一例であり、例えば、１ビットの速度情報を用い、「０」が高速でないことを示す速度情報とし、「１」が高速であることを示す速度情報としてもよい。また、例えば、「１４０ｋｍ／ｈ」の代わりに、「２００ｋｍ／ｈ以上」や「３００ｋｍ／ｈ以上」などを用いても良い。
【００４５】
また、速度情報テーブル３１１は、速度算出部３２１によって使用される。また、速度情報テーブル３１１によって記憶された情報は、無線通信システムを管理する管理者によって予め格納される。
【００４６】
移動体制御部３２０は、速度情報テーブル３１１と接続され、また、無線通信ネットワーク４００を介して基地局２００と接続される。また、移動体制御部３２０は、各種の算出処理手順などを規定したプログラムを記憶するための内部メモリを有し、種々の算出処理を実行する。また、移動体制御部３２０は、図５に示す例では、速度算出部３２１と、移動体送受信部３２２とを有する。
【００４７】
速度算出部３２１は、速度情報テーブル３１１と移動体送受信部３２２と接続される。また、速度算出部３２１は、移動体端末３００の移動速度を算出する。例えば、速度算出部３２１は、公知の手法を用いて移動体端末３００の移動速度を算出し、例えば、フェージングやＧＰＳ信号、加速度センサを用いて移動速度を算出する。
【００４８】
例えば、フェージングを利用して移動速度を算出する場合には、速度算出部３２１は、受信データのフェージングを推定するためにチャネル推定を行い、そのチャネル推定値の自己相関を時間方向に移動平均した関数を定義し、定義した移動速度毎に増減するフェージング自己相関関数の値と、事前取得した移動速度毎の既知の値との大小比較により移動端末の移動速度の推定を行う。
【００４９】
また、例えば、ＧＰＳ信号を用いて移動速度を算出する場合には、速度算出部３２１は、ＧＰＳ信号を所定の時間ごとに取得し、現在位置の変化量を識別する。そして、速度算出部３２１は、現在位置の変化量を、ＧＰＳ信号を取得する所定の時間を用いて除算することで、移動速度を算出する。
【００５０】
また、速度算出部３２１は、移動速度を算出すると速度情報テーブル３１１を参照し、算出した移動速度に対応する速度情報を取得する。例えば、速度算出部３２１は、移動速度が「３０ｋｍ／ｈ」であると算出した場合には、速度情報「０１」を取得し、移動速度が「１５０ｋｍ／ｈ」であると算出した場合には、速度情報「１０」を取得する。
【００５１】
また、速度算出部３２１は、取得した速度情報を移動体送受信部３２２に送り、例えば、速度情報「１０」を送る。また、速度算出部３２１は、パケットを受信するごとや、所定の時間が経過するごとに移動速度を算出して速度情報を取得し、速度情報を取得するごとに速度情報を移動体送受信部３２２に送る。なお、速度算出部３２１によって取得された速度情報は、移動体送受信部３２２が基地局２００に送信する。
【００５２】
移動体送受信部３２２は、速度算出部３２１と接続され、無線通信ネットワーク４００を介して基地局２００と接続される。
【００５３】
また、移動体送受信部３２２は、基地局２００とパケットを送受信する。具体的には、移動体送受信部３２２は、基地局２００からパケットを受信すると、パケット受信に成功したか否かを判定し、判定結果を基地局２００に送信する。例えば、移動体送受信部３２２は、パケット受信に成功した場合には、ＡＣＫ信号を送信し、パケット受信に失敗した場合には、ＮＡＣＫ信号を送信する。また、例えば、移動体送受信部３２２は、ＣＣＨ（Control  Channel）チャネルを用いて判定結果を送信する。なお、ＣＣＨチャネルとは、基地局２００や移動体端末３００に用いられる制御信号を送受信するのに用いられるチャネルである。
【００５４】
また、移動体送受信部３２２は、速度算出部３２１から速度情報を受信し、受信した速度情報を基地局２００に送信する。具体的には、速度算出部３２１から受信した速度情報の内、最新の速度情報を基地局２００に送信し、例えば、パケットを受信して判定結果を送信するごとに速度情報を送信する。
【００５５】
例えば、図７−１に示す例では、移動体送受信部３２２は、パケット受信を成功したか否かを示す判定結果と、速度情報とを一緒に基地局２００に送信する。なお、図７−１は、実施例２における移動体端末から基地局にＣＣＨチャネルを用いて送信されるパケットのフォーマットの一例を説明するための図である。
【００５６】
図７−１に示す例では、移動体送受信部３２２は、「ＡＣＫ／ＮＡＣＫ」と「ＣＱＩ（Channel  Quality  Indicator）」と「プロセス番号」と「復号パラメータ」と「速度情報」と「その他」とを含むパケットをＣＣＨチャネルを用いて送信する。
【００５７】
ここで、図７−１に示す例では、「ＡＣＫ／ＮＡＣＫ」は、パケット受信を成功したか否かを示し、例えば、ＡＣＫ信号かＮＡＣＫ信号かが格納される。また、「ＣＱＩ」は、移動体端末３００の電波伝搬状態を示す情報であり、例えば、基地局２００がパイロット信号を送信し、移動局３００はそのパイロット信号を受信し、該パイロット信号の受信ＳＩＲを測定する。この場合、移動局３００は測定した受信ＳＩＲを３２値に量子化し、その量子化した値を基地局２００に送信する。また、「復号パラメータ」は、複数の変調・符号化のセット（ＭＣＳ： modulation and coding scheme）セット（変調方式及びチャネル符号化方式の組み合わせ）を定義し、通信中の移動局３００の受信状態に応じて、ＭＣＳセットを変更するために使用される。具体的には、移動局３００の受信状態が悪いときに、より低い符号化率や低い変調多値数が用いられる。このようにすることにより、受信状態に応じて受信品質を確保することが可能となる。また、「その他」は、ＲＶパラメータ（リダンダンシーバージョン）、伝送チャネル識別者（ｔｒａｎｓｐｏｒｔ ｃｈａｎｎｅｌ ｉｄｅｎｔｉｔｙ）、伝送ブロックセットサイズ（ｔｒａｎｓｐｏｒｔ ｂｌｏｃｋ ｓｅｔｓｉｚｅ）等が含まれる。
【００５８】
図７−２に示す例では、移動体送受信部３２２は、ＡＣＫ／ＮＡＣＫ「ＮＡＣＫ」とＣＱＩ「最高の受信状態を表すＣＱＩ＝３０」とプロセス番号「＃２」と復号パラメータ「上り方向の変調・符号化パラメータ（ＭＣＳセット）」と速度情報「１０」とその他「伝送ブロックセットサイズおよびＲＶパラメータ」とを含むパケットを送信する。なお、図７−２は、実施例２における移動体端末から基地局にＣＣＨチャネルを用いて送信されるパケットの一例を説明するための図である。
【００５９】
［実施例２における基地局の構成］
図５に示すように基地局２００は、無線通信ネットワーク４００を介して移動体端末３００と接続され、移動体端末３００とパケットを送受信する。また、基地局２００は、図５に示す例では、基地局記憶部２１０と基地局制御部２２０とを有する。
【００６０】
基地局記憶部２１０は、基地局制御部２２０と接続され、基地局制御部２２０による各種送信制御処理に用いられるデータを記憶する。基地局記憶部２１０は、図５に示す例では、送信バッファ２１１と回数管理テーブル２１２とを有する。
【００６１】
送信バッファ２１１は、基地局制御部２２０内にある基地局送受信部２２１と接続され、図８に示すように、基地局２００から移動体端末３００に送信されるパケットを記憶する。なお、図８は、実施例２における送信バッファを説明するための図である。
【００６２】
図８に示す例では、送信バッファ２１１は、「＃１」〜「＃６」までの記憶領域にそれぞれデータを記憶する。また、送信バッファ２１１は、後述する基地局送受信部２２１によってパケットが順に読み出されて移動体端末３００に送信され、図８に示す例では、送信バッファ２１１に記憶されたパケットは、「＃１」から「＃６」へと基地局送受信部２２１によって順に読み出されて送信される。
【００６３】
また、送信バッファ２１１は、基地局２００によって送信されるパケットが格納される。また、送信バッファ２１１によって記憶されたパケットは、後述するように、基地局送受信部２２１によって破棄され、新たなパケットが基地局２００によって格納される。
【００６４】
回数管理テーブル２１２は、基地局制御部２２０内にある基地局送受信部２２１と回数変更部２２３と接続され、基地局２００から移動体端末３００に送信されるパケットごとに、再送信処理が実行された回数を記憶する。また、回数管理テーブル２１２は、パケットの再送信処理が実行される最大回数を記憶する。
【００６５】
例えば、図９−１に示すように、回数管理テーブル２１２は、送信バッファ２１１によって記憶されたパケットを識別する「プロセス番号」ごとに、「再送信処理回数」を記憶し、また、「最大回数」を記憶する。図９−１は、実施例２における回数管理テーブルを説明するための図である。図９−１に示す例では、回数管理テーブル２１２は、プロセス番号「＃１」に対応付けて再送信処理回数「０」を記憶し、プロセス番号「＃２」に対応付けて再送信処理回数「４」を記憶する。また、回数管理テーブル２１２は、最大回数「４」を記憶する。なお、プロセス番号として用いられている「＃１」〜「＃６」は、それぞれ、上記した送信バッファ２１１の「＃１」〜「＃６」に対応する。
【００６６】
つまり、図９−１に示す例では、回数管理テーブル２１２は、送信バッファ２１１「＃１」のパケットに対して再送信処理が実行されず、送信バッファ２１１「＃２」のパケットに対して再送信処理が「４」回実行されたことを記憶する。また、回数管理テーブル２１２は、最大回数が「４」回であり、同一のパケットに対して再送信処理が４回まで行われることを記憶する。
【００６７】
また、回数管理テーブル２１２は、基地局送受信部２２１によって再送信処理が実行されるごとに、再送信処理回数が更新される。また、回数管理テーブル２１２は、初期状態において、最大回数が予め設定され、図９−１に示す例では、「４」が設定される。また、回数管理テーブル２１２は、後述するように、回数変更部２２３によって最大回数が予め設定された最大回数よりも少ない回数に変更され、図９−２に示す例では、「４」から「２」に変更される。なお、図９−２は、実施例２における最大回数が変更された後の回数管理テーブルを説明するための図である。
【００６８】
ここで、基地局２００は、異なる移動体端末３００に対して同一の最大回数を適用する。また、基地局２００は、後述するように、回数変更部２２３によって最大回数が少ない回数に変更された場合には、変更された最大回数を異なる移動体端末３００に対して適用する。
【００６９】
また、回数管理テーブル２１２によって記憶された再送信処理回数と最大回数とは、基地局送受信部２２１によって用いられる。また、回数管理テーブル２１２によって記憶された最大回数は、回数変更部２２３によって変更される。
【００７０】
基地局制御部２２０は、基地局記憶部２１０と接続され、また、無線通信ネットワーク４００を介して移動体端末３００と接続される。また、図５に示す例では、基地局制御部２２０は、基地局送受信部２２１と速度識別部２２２と回数変更部２２３とを有する。
【００７１】
基地局送受信部２２１は、送信バッファ２１１と回数管理テーブル２１２と速度識別部２２２と接続され、また、無線通信ネットワーク４００を介して移動体端末３００と接続される。なお、基地局送受信部２２１による処理の詳細な流れの一例については後述するため、ここでは説明を省略する。
【００７２】
基地局送受信部２２１は、送信バッファ２１１によって記憶されたパケットを順に読み出し、移動体端末３００に順に送信する。具体的には、基地局送受信部２２１は、パケットの送信後に、ＡＣＫ信号を移動体端末３００から受信すると、送信したパケットを送信バッファ２１１から破棄し、また、回数管理テーブル２１２の「再送信処理回数」を「０」に設定する。そして、基地局送受信部２２１は、送信バッファ２１１から次のパケットを読み出し、読み出した次のパケットを送信する。
【００７３】
例えば、図１０に示すように、基地局送受信部２２１は、送信バッファ２１１の「＃１」に記憶されたパケットから「＃６」に記憶されたパケットへと順に送信する。なお、図１０は、実施例２における基地局送受信部について説明するための図である。また、基地局送受信部２２１は、「＃６」のパケットを送信した後には、次に、「＃１」に記憶されたパケットを読み出して送信し、その後も同様に送信処理を繰り返す。なお、図１０に示す例では、「＃２  ＲＥＴ」のパケットが削除され、新たに送信するパケットである「＃２ＮＥＷ」が格納された場合について示した。このため、基地局送受信部２２１は、次に、「＃３」のパケットを送信する。なお、図１０に示す「ＲＥＴ」とは、再送信処理中のパケットを示し、「ＮＥＷ」は、新たに送信する新規パケットを示す。
【００７４】
また、基地局送受信部２２１は、パケットの送信後にＮＡＣＫ信号を移動体端末３００から受信すると、再送信処理を実行する。
【００７５】
ここで、図７−２に示すように、基地局送受信部２２１が、ＣＣＨチャネルを用いて、ＡＣＫ／ＮＡＣＫ「ＮＡＣＫ」とプロセス番号「＃２」とを含むパケットを移動体端末３００から受信した場合を例に説明する。基地局送受信部２２１は、回数管理テーブル２１２の「再送信処理回数」をカウントアップし、例えば、プロセス番号「＃２」に対応する再送信処理回数を「１」回分カウントアップし、例えば、再送信処理回数「０」を「１」にカウントアップする。
【００７６】
また、基地局送受信部２２１は、再送信処理回数が最大回数を超過していないかを判定し、超過していないと判定すると、再送信処理を実行する。例えば、最大回数が「４」である場合には、基地局送受信部２２１は、「＃２」に対応する再送信処理回数が「４」以下であれば、再送信処理を実行する。基地局送受信部２２１は、再送信処理として、例えば、パケットを再度送信し、あるいは、パンクチャにより送信されなかった冗長ビットを送信する。
【００７７】
また、基地局送受信部２２１は、再送信処理回数が最大回数を超過していないかを判定し、超過していると判定すると、再送信処理を実行せず、再送信処理の対象となっていたパケットについて送信をやり直す。例えば、「＃２」に対応する再送信処理回数が「５」である場合には、基地局送受信部２２１は、再送信処理を実行せず、再送信処理の対象となっていたパケットを送信バッファ２１１から破棄し、「＃２」に対応する再送信回数を「５」から「０」に設定する。言い換えると、回数変更部２２３は、送信バッファ２１１と回数管理テーブル２１２の再送信処理回数をクリアする。その後、基地局２００により、送信バッファ２１１にパケットが再度格納され、パケットの送信を初めからやり直す。言い換えると、基地局送受信部２２１は、再送信処理を最大回数を超えて繰り返すのではなく、再送信処理の対象となったパケットについて、新たに送信処理を初めからやり直す。
【００７８】
なお、基地局送受信部２２１は、再送信処理の後、移動体端末３００からＡＣＫ信号を受信すると、上記したように、送信バッファ２１１から次のパケットを読み出し、読み出した次のパケットを送信する。
【００７９】
また、基地局送受信部２２１は、パケットを送信する場合には、最新の「ＣＱＩ」に応じた送信条件を決定し、パケットを送信する。具体的には、基地局送受信部２２１は、ＣＣＨチャネルを用いて移動体端末３００から「ＣＱＩ」を受信し、受信した「ＣＱＩ」の内最新の「ＣＱＩ」を用いて送信条件を決定する。なお、送信条件は、例えば、送信電力や符号化率が該当する。そして、基地局送受信部２２１は、決定した送信電力や符号化率を用いてパケットを送信する。
【００８０】
また、基地局送受信部２２１は、再送信処理を実行する場合には、初回送信時の送信条件を用いて再送信処理を実行し、例えば、初回送信時に用いた送信電力と同一の送信電力を用いて再送信処理を実行する。
【００８１】
また、基地局送受信部２２１は、移動体端末３００の移動速度に関する速度情報を移動体端末３００から受信すると、受信した速度情報を速度識別部２２２に送る。例えば、図７−２に示す例では、基地局送受信部２２１は、移動体端末３００からＣＣＨチャネルを用いてパケットを受信し、受信したパケットに含まれる速度情報「１０」を速度識別部２２２に送る。
【００８２】
速度識別部２２２は、基地局送受信部２２１と回数変更部２２３と接続される。また、速度識別部２２２は、移動体端末３００の移動速度に関する速度情報を基地局送受信部２２１から受信すると、速度情報によって識別される移動速度が所定の速度よりも高速であるかを識別する。
【００８３】
例えば、図６に示す例を用いて説明すると、速度識別部２２２は、受信した速度情報が「００」や「０１」である場合には、つまり、移動体端末３００の移動速度が低速や中速である場合には、所定の速度よりも高速ではないと識別する。一方、速度識別部２２２は、受信した速度情報が「１０」である場合には、つまり、移動体端末３００の移動速度が高速である場合には、所定の速度よりも高速であると識別する。
【００８４】
また、速度識別部２２２は、所定の速度よりも高速であると識別すると、高速である旨を回数変更部２２３に送る。
【００８５】
回数変更部２２３は、速度識別部２２２と回数管理テーブル２１２と接続される。また、回数変更部２２３は、速度識別部２２２より高速である旨を受信すると、つまり、速度識別部２２２によって所定の速度よりも高速であると識別されると、パケットの再送信処理を実行する最大回数を、予め設定された最大回数よりも少ない回数に変更する。例えば、図９―１や図９―２に示す例では、回数変更部２２３は、最大回数を「４」から「２」に変更する。
【００８６】
また、回数変更部２２３は、最大回数を少ない回数に変更した後に所定の時間が経過すると、最大回数を予め設定された最大回数に戻す変更を行う。例えば、所定の時間が「３０ｍｓｅｃ」である場合には、回数変更部２２３は、最大回数を「４」から「２」に変更した後、「３０ｍｓｅｃ」経過すると、最大回数を「２」から「４」に戻す。例えば、回数変更部２２３は、基地局２００がパケットを受信するごとに、最大回数を少ない回数に変更した後に所定の時間が経過したかを判定する。なお、回数変更部２２３による最大回数を戻す処理の詳細な処理の流れの一例については後述するため、ここでは説明を省略する。
【００８７】
なお、回数変更部２２３は、所定の時間として、例えば、移動体端末３００が高速移動中に一つの基地局２００のセクタを抜けるまでに要する時間より少し多い程度の時間を用いる。これにより、高速移動中の移動体端末３００が基地局２００のセクタ内にいる間に送信される場合には最大回数が減らされ、高速移動中の移動体端末３００が基地局２００のセクタ外に抜けた場合には、最大回数が元に戻る。
【００８８】
［実施例２における移動体端末による処理］
次に、図１１を用いて、実施例２における移動体端末３００による処理の流れについて説明する。図１１は、実施例２における移動体端末による処理の流れについて説明するためのフローチャートである。なお、図１１を用いて説明する処理の流れでは、移動体端末３００が、パケット受信に成功したか否かの判定と速度情報とを一緒に送信する場合について説明する。また、移動体端末３００は、パケットを受信するごとに以下に説明する処理を実行する。
【００８９】
図１１に示すように、実施例２における移動体端末３００は、基地局２００からパケットを受信すると（ステップＳ４０１肯定）、移動体送受信部３２２が、パケット受信に成功したかを判定する（ステップＳ４０２）。ここで、移動体送受信部３２２は、パケット受信に成功したと判定すると（ステップＳ４０２肯定）、例えば、受信したパケットにエラーが含まれていない場合に成功したと判定し、ＡＣＫ信号と速度情報とを送信する（ステップＳ４０３）。例えば、移動体送受信部３２２は、ＡＣＫ／ＮＡＣＫ「ＡＣＫ」と速度情報「１０」を含むパケットをＣＣＨチャネルにて基地局２００に送信する。
【００９０】
一方、移動体送受信部３２２は、パケット受信に失敗したと判定すると（ステップＳ４０２否定）、例えば、受信したパケットに訂正しきれないほどエラーが含まれている場合に失敗したと判定し、ＮＡＣＫ信号と速度情報とを送信する（ステップＳ４０４）。例えば、移動体送受信部３２２は、ＡＣＫ／ＮＡＣＫ「ＮＡＣＫ」と速度情報「１０」を含むパケットをＣＣＨチャネルにて基地局２００に送信する。
【００９１】
［実施例２における基地局送受信部による処理］
次に、図１２を用いて、実施例２における基地局送受信部２２１による処理の流れについて説明する。図１２は、実施例２における基地局送受信部による処理の流れについて説明するためのフローチャートである。なお、以下では、基地局送受信部２２１が「＃１」から「＃６」までのパケットを順に送信する場合について説明する。
【００９２】
図１２に示すように、実施例２における基地局２００は、送信タイミングとなると（ステップＳ５０１肯定）、基地局送受信部２２１は、＃１のパケットを送信バッファ２１１から読み出す（ステップＳ５０２）。そして、基地局送受信部２２１は、読み出したパケットを移動体端末３００に送信する（ステップＳ５０３）。
【００９３】
その後、基地局送受信部２２１は、パケットの受信に失敗した旨の失敗情報であるＮＡＣＫ信号を受信したかを判定する（ステップＳ５０４）。ここで、ＮＡＣＫ信号を受信したと判定すると（ステップＳ５０４肯定）、基地局送受信部２２１は、回数管理テーブル２１２に記憶された再送信処理回数をカウントアップする（ステップＳ５０５）。例えば、基地局送受信部２２１は、「＃１」に対応する再送信処理回数を「１」回分カウントアップし、例えば、再送信処理回数「０」を「１」にカウントアップする。
【００９４】
そして、基地局送受信部２２１は、最大再送回数を超過しているかを判定する（ステップＳ５０６）。ここで、基地局送受信部２２１は、最大再送回数を超過していないと判定すると（ステップＳ５０６否定）、例えば、最大回数が「４」であって再送信処理回数が「３」であれば、再送信処理を実行する（ステップＳ５０７）。そして、上記したステップＳ５０４に戻り、ＮＡＣＫ信号を受信するかを判定する。
【００９５】
一方、基地局送受信部２２１は、最大再送回数を超過したと判定すると（ステップＳ５０６肯定）、再送信処理の対象となっていたパケットを送信バッファ２１１から破棄し（ステップＳ５０８）、パケットの新規送信処理を実行する（ステップＳ５０９）。つまり、基地局送受信部２２１は、再送信処理を繰り返すのではなく、一度パケットを破棄して再度初めからパケットの送信をやり直す。
【００９６】
また、上記したステップＳ５０４において、基地局送受信部２２１は、ＮＡＣＫ信号を受信していないと判定すると（ステップＳ５０４否定）、つまり、ＡＣＫ信号を受信した場合について説明する。基地局送受信部２２１は、「＃６」までパケットを送信したかを判定し（ステップＳ５１０）、送信したと判定すると（ステップＳ５１０肯定）、そのまま処理を終了する。一方、基地局送受信部２２１は、送信していないと判定すると（ステップＳ５１０否定）、次のパケットを送信バッファ２１１から読み出し（ステップＳ５１１）、パケットを送信する（ステップＳ５０３）。そして、「＃６」までパケットを送信したと判定するまで上記した処理を継続する。
【００９７】
［回数変更部による最大回数を戻す処理］
次に、図１３を用いて、実施例２における回数変更部２２３による最大回数を戻す処理の流れについて説明する。図１３は、実施例２における回数変更部による最大回数を戻す処理の流れについて説明するためのフローチャートである。
【００９８】
図１３に示すように、実施例２における回数変更部２２３は、パケットを受信すると（ステップＳ６０１肯定）、最大回数が変更済みかを判定し（ステップＳ６０２）、つまり、最大回数を少ない回数に変更したかを判定する。ここで、回数変更部２２３は、変更済みでないと判定すると（ステップＳ６０２否定）、つまり、最大回数が予め設定された最大回数である場合には、そのまま処理を終了する。
【００９９】
一方、回数変更部２２３は、変更済みであると判定すると（ステップＳ６０２肯定）、つまり、最大回数が予め設定された最大回数より少ない回数になっている場合には、変更後所定の時間が経過したかを判定する（ステップＳ６０３）。例えば、回数変更部２２３は、最大回数を「４」から「２」に変更した際に、タイマーを用いて経過時間の測定を開始し、経過時間が所定の時間を超過したかを判定する。
【０１００】
そして、回数変更部２２３は、経過したと判定すると（ステップＳ６０３肯定）、最大回数を予め設定された最大回数に戻し（ステップＳ６０４）、例えば、最大回数を「２」から「４」に変更する。一方、回数変更部２２３は、経過していないと判定すると（ステップＳ６０３否定）、そのまま処理を終了する。
【０１０１】
なお、図１３を用いて説明した例では、パケットを受信するごとに判定する場合について説明したが、本発明はこれに限定されるものではなく、例えば、パケットの受信タイミングとは独立して、所定の時間経過ごとに判定しても良い。
【０１０２】
［実施例２の効果］
上記したように、実施例２によれば、基地局２００は、速度情報を受信すると、速度情報によって識別される移動速度が所定の速度よりも高速であるかを識別し、所定の速度よりも高速であると識別すると、最大回数を少ない回数に変更する。この結果、無駄な再送信処理を繰り返さないことが可能である。
【０１０３】
図１４〜図１６を用いて、実施例２における無線通信システムによる効果についてさらに説明する。なお、図１４〜図１６は、実施例２における無線通信システムによる効果を説明するための図である。ここでは、移動体端末３００が高速移動中であり、再送信処理を繰り返してもエラーを訂正しきれない場合を例に説明する。また、予め設定された最大回数が「４」であり、フレーム番号の「８」において送信された「＃２」のパケットを送信した際に、基地局２００がＮＡＣＫ信号を受信した場合について説明する。なお、図１４〜図１６に示すフレーム番号は、送信されたパケットの順番を示すための情報である。
【０１０４】
図１４に示すように、最大回数が常に一定である場合には、基地局２００は、フレーム番号「９」〜「１２」に示すように、再送信処理を繰り返し、最大回数である「４」回再送信処理を繰り返す。その後、基地局２００は、フレーム番号「１３」に示すように、パケットの送信をやり直す。
【０１０５】
ここで、再送信処理中には、スループットが落ちるので、図１４の「スループット」や図１６に示す例では、スループットが「０」になる。ここで、基地局が「４」回の再送信処理を繰り返し、その後、パケットの送信をやり直して移動体端末３００がパケット受信に成功すると、スループットが向上する。この結果、図１４や図１６に示すように、フレーム番号「１３」になってようやくスループットが向上する。
【０１０６】
一方、図１５に示すように、開示の基地局２００は、移動体端末３００が高速移動中である場合には、最大回数を減らす。このため、開示の基地局２００は、フレーム番号「９」〜「１０」に示すように、予め設定された最大回数よりも少ない回数再送信処理を繰り返し、図１５に示す例では、「２」回再送信処理を繰り返す。その後、基地局２００は、フレーム番号「１１」に示すように、パケットの送信をやり直す。
【０１０７】
ここで、開示の基地局２００では、「２」回再送信処理を繰り返すと、パケットの送信をやり直す。そして、基地局２００がパケットの送信をやり直した結果、移動体端末３００がパケット受信に成功すると、スループットが向上する。この結果、図１５や図１６に示すように、フレーム番号「１１」の時点でスループットが向上する。つまり、開示の基地局２００によれば、移動体端末３００が高速移動中であれば最大回数を減らすので、再送信処理によりスループットが落ち込む期間を短縮でき、スループットを従来の手法と比較してより早期に向上することが可能である。
【０１０８】
また、実施例２によれば、基地局２００は、異なる移動体端末に対して同一の最大回数を適用し、回数変更部２２３によって最大回数が少ない回数に変更された場合には、変更された最大回数を異なる移動体端末に対して適用する。この結果、基地局２００は、個々の移動体端末を識別することなく、最大回数を変更して適用することが可能である。また、この結果、最大回数を変更して適用する処理を迅速に実行することが可能である。
【０１０９】
また、実施例２によれば、回数変更部２２３は、最大回数を少ない回数に変更した後に所定の時間が経過すると、最大回数を予め設定された最大回数に戻す変更を行う。この結果、高速移動中の移動体端末３００が基地局２００のセクタ内からいなくなった場合には、予め設定された最大回数に自動的に戻すことが可能であり、最大回数を適切な値に保つ事が可能である。
【実施例３】
【０１１０】
さて、これまで本発明の実施例について説明したが、本発明は上述した実施例以外にも、その他の実施例にて実施されてもよい。そこで、以下では、その他の実施例について説明する。
【０１１１】
例えば、実施例２では、基地局２００は、「＃１」から順にパケットを送信する場合について説明した。具体的には、基地局２００は、「＃２」で移動体端末３００がパケット受信に失敗した場合には、再送信処理等を行い、「＃２」について移動体端末３００がパケット受信に成功した後に、「＃３」のパケットを送信するものとして説明した。しかし、本発明はこれに限定されるものではなく、「＃１」から「＃６」までのパケットの送信が繰り返し周期的にＡＣＫ／ＮＡＣＫ確認と独立して実施され、「＃２」がＮＡＣＫの場合は続けて「＃３」「＃４」「＃５」「＃６」「＃１」が送信された後に、「＃２」の再送を行っても良い。
【０１１２】
［速度情報］
また、例えば、実施例２では、移動体端末３００が移動速度を算出し、算出した移動速度に対応する速度情報を基地局２００に送信する場合について説明した。しかし、本発明はこれに限定されるものではなく、移動体端末３００は、移動速度そのものを基地局２００に送信してもよい。
【０１１３】
また、例えば、移動体端末３００ではなく基地局２００が移動速度を算出してもよい。例えば、移動体端末３００は、ＧＰＳ信号を取得すると、取得したＧＰＳ信号を基地局２００に送信し、基地局２００が、受信したＧＰＳ信号を用いて移動体端末３００の移動速度を算出してもよい。
【０１１４】
［再送信処理回数を用いての判定］
また、例えば、実施例２では、回数変更部２２３は、移動体端末３００の移動速度が所定の速度よりも高速であるかを判定して最大回数を減らす手法について説明した。しかし、本発明はこれに限定されるものではなく、回数変更部２２３は、再送信処理が実行された回数用いた判定をさらに実行し、最大回数を減らすかを判定しても良い。
【０１１５】
具体的には、回数変更部２２３は、同一のパケットについてのＮＡＣＫ信号を予め設定された最大回数より多く受信したかを判定する。例えば、基地局送受信部２２１がＮＡＣＫ信号を５回受信し、再送信処理を４回実行して再送信処理回数が「５」にカウントアップされたかを判定する。そして、回数変更部２２３は、所定の速度よりも高速であると識別し、ＮＡＣＫ信号を最大回数より多く受信したと判定すると、最大回数を少ない回数に変更する。
【０１１６】
例えば、図１７を用いて、回数変更部２２３による処理の流れについて説明する。図１７は、実施例３における回数変更部による処理の流れについて説明するためのフローチャートである。
【０１１７】
図１７に示すように、回数変更部２２３は、速度情報を受信すると（ステップＳ７０１肯定）、所定の速度よりも高速であるかを判定し（ステップＳ７０２）、再送信処理回数が最大回数を超過したかを判定する（ステップＳ７０３）。
【０１１８】
ここで、回数変更部２２３は、所定の速度よりも高速であると判定し、再送信処理回数が最大回数を超過したと判定すると（ステップＳ７０２肯定およびステップＳ７０３肯定）、最大回数を予め設定された最大回数よりも少ない回数に変更する（ステップＳ７０４）。一方、回数変更部２２３は、所定の速度よりも高速でないと判定し、あるいは、再送信処理回数が最大回数を超過していないと判定すると（ステップＳ７０２否定またはステップＳ７０３否定）、そのまま処理を終了する。
【０１１９】
この結果、基地局２００と移動体端末３００との間の電波伝搬状況に応じて、最大回数を減らすか判定することが可能である。つまり、移動体端末３００が高速移動中であっても、電波伝搬状況によっては、再送信処理を繰り返すことで移動体端末３００がパケット受信に成功する場合がある。このため、回数変更部２２３は、移動体端末３００が高速に移動中であり、さらに、実際に再送信処理を繰り返してもエラーを訂正できなかった場合がある場合に、最大回数を減らす。
【０１２０】
［実施例の組み合わせについて］
また、実施例２では、異なる移動体端末に対して同一の最大回数を適用する手法と、最大回数変更後に所定の時間が経過すると元に戻す手法とを併せて実行する場合について説明した。しかし、本発明はこれに限定されるものではなく、例えば、上記した手法の内いずれか一方のみを実行しても良い。
【０１２１】
［システム構成］
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。例えば、移動体端末３００を利用する利用者が移動速度を手動にて算出して移動体端末３００に入力し、移動体端末３００は、自ら移動速度を算出することなく、利用者から入力された移動速度を基地局２００に送信してもよい。また、基地局２００が移動体端末３００からの受信信号の状態から、移動体端末２００の移動速度を推定してもよい。
【０１２２】
この他、上記文書中や図面中で示した処理手順、制御手順、具体的名称、各種のデータやパラメータを含む情報（例えば、図１〜図１７）については、特記する場合を除いて任意に変更することができる。例えば、実施例２では、図１２に示す処理の流れにおいて、ステップＳ５０７の後に、最大回数を減らす処理を追加しても良い。
【０１２３】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【符号の説明】
【０１２４】
１００  基地局
１０１  速度識別部
１０２  回数変更部
２００  基地局
２１０  基地局記憶部
２１１  送信バッファ
２１２  回数管理テーブル
２２０  基地局制御部
２２１  基地局送受信部
２２２  速度識別部
２２３  回数変更部
３００  移動体端末
３１１  速度情報テーブル
３２０  移動体制御部
３２１  速度算出部
３２２  移動体送受信部
４００  無線通信ネットワーク
【図１】
2010273128.tif 000003
【図２】
2010273128.tif 000004
【図３】
2010273128.tif 000005
【図４】
2010273128.tif 000006
【図５】
2010273128.tif 000007
【図６】
2010273128.tif 000008
【図７−１】
2010273128.tif 000009
【図７−２】
2010273128.tif 000010
【図８】
2010273128.tif 000011
【図９−１】
2010273128.tif 000012
【図９−２】
2010273128.tif 000013
【図１０】
2010273128.tif 000014
【図１１】
2010273128.tif 000015
【図１２】
2010273128.tif 000016
【図１３】
2010273128.tif 000017
【図１４】
2010273128.tif 000018
【図１５】
2010273128.tif 000019
【図１６】
2010273128.tif 000020
【図１７】
2010273128.tif 000021